(57)【要約】【課題】快適性とワイヤレスリモコンの操作性を損ねることなく、冷房運転もしくは除湿運転後に最小限の回数の乾燥運転を実施し、ユーザーに誤解を与えることの無い乾燥運転を実現する空気調和機を提供する。【解決手段】空気調和機の室内ユニットにワイヤレスリモコンとの双方向通信を行なう受信部と送信部を有し、前記ワイヤレスリモコンにも送信部と受信部を有し、冷房運転時間もしくは除湿運転時間に応じて、室内ユニット内部の湿度を低減させてカビや細菌の繁殖を防止する乾燥運転を行ない、乾燥運転開始時に前記室内ユニットの送信部から前記ワイヤレスリモコンの受信部に信号を送信し、前記ワイヤレスリモコンの表示部に乾燥運転が実施されていることを表示するようにしたものである。【選択図】図１
2005106441.tif 000002
【特許請求の範囲】
【請求項１】
室内ユニットにワイヤレスリモコンとの双方向通信を行なう受信部と送信部を有し、前記ワイヤレスリモコンにも送信部と受信部を有し、冷房運転時間もしくは除湿運転時間に応じて、室内ユニット内部の湿度を低減させてカビや細菌の繁殖を防止する乾燥運転を行ない、乾燥運転開始時に前記室内ユニットの送信部から前記ワイヤレスリモコンの受信部に信号を送信し、前記ワイヤレスリモコンの表示部に乾燥運転が実施されていることを表示することを特徴とした空気調和機。
【請求項２】
乾燥運転時間としてあらかじめ決められた時間経過後、前記ワイヤレスリモコンの乾燥運転表示を停止もしくは乾燥運転以外の運転表示に切りかえることを特徴とする請求項１記載の空気調和機。
【請求項３】
乾燥運転終了時、前記室内ユニットの送信部から前記ワイヤレスリモコンの受信部に信号を送信し、前記ワイヤレスリモコンの乾燥運転表示を停止もしくは乾燥運転以外の運転表示に切りかえることを特徴とする請求項１記載の空気調和機。
【発明の詳細な説明】
【技術分野】
【０００１】
本発明は、ワイヤレスリモコンとの双方向通信を行ない、室内ユニット内部の湿度を低減する乾燥運転の実行をワイヤレスリモコンに表示する空気調和機に関するものである。
【背景技術】
【０００２】
従来、空気調和機の冷房運転もしくは除湿運転を行なった後は、空気調和機室内ユニットの内部が高湿度状態になる。このような環境下ではカビや細菌が繁殖しやすくなり、カビや細菌によって空気調和機運転時に悪臭を発生したり、カビや細菌が室内に飛散する可能性もあり、衛生および快適性の面で好ましくなかった。このような問題に鑑み、たとえば、特開２００２−２８６２７８号公報には、ユーザーが任意で冷房運転もしくは除湿運転後の乾燥運転のＯＮ／ＯＦＦ制御ができるスイッチをワイヤレスリモコンに設けた空気調和機が開示されている。これによると、ユーザーが必要に応じて乾燥運転を行なうか否かを決定する事ができ、ユーザーが乾燥運転動作を選んでおけばカビや細菌の繁殖を押さえる事が可能であった。（例えば特許文献1参照）。
【特許文献１】特開２００２−２８６２７８号公報
【発明の開示】
【発明が解決しようとする課題】
【０００３】
しかしながら前記従来の構成では、予め乾燥運転の実施を選択した場合、冷房運転もしくは除湿運転直後に必ず乾燥運転を実施する事になり、一旦冷房運転を停止した直後に再度冷房運転を実行しようとした場合、ワイヤレスリモコンの操作を行なって乾燥運転を停止させてから冷房運転を開始させなければならず、ユーザーのワイヤレスリモコン操作が煩雑になるという課題を有していた。
【０００４】
本発明はこのような従来の課題を解決するものであり、快適性とワイヤレスリモコンの操作性を損ねることなく、冷房運転もしくは除湿運転後に最小限の回数の乾燥運転を実施し、ユーザーに誤解を与えることの無い乾燥運転を実現する空気調和機を提供することを目的とする。
【課題を解決するための手段】
【０００５】
前記従来の課題を解決するために本発明の空気調和機は、室内ユニットにワイヤレスリモコンとの双方向通信を行なう受信部と送信部を有し、前記ワイヤレスリモコンにも送信部と受信部を有し、冷房運転時間もしくは除湿運転時間に応じて、室内ユニット内部の湿度を低減させてカビや細菌の繁殖を防止する乾燥運転を行ない、乾燥運転開始時に前記室内ユニットの送信部から前記ワイヤレスリモコンの受信部に信号を送信し、前記ワイヤレスリモコンの表示部に乾燥運転が実施されていることを表示することを特徴とするものである。また、乾燥運転時間としてあらかじめ決められた時間経過後、前記ワイヤレスリモコンの乾燥運転表示を停止もしくは乾燥運転以外の運転表示に切りかえることを特徴とするものである。さらに、乾燥運転終了時、前記室内ユニットの送信部から前記ワイヤレスリモコンの受信部に信号を送信し、前記ワイヤレスリモコンの乾燥運転表示を停止もしくは乾燥運転以外の運転表示に切りかえることを特徴とするものである。
【０００６】
上記構成によって、冷房運転もしくは除湿運転後に最小限の回数の乾燥運転を実施し、ワイヤレスリモコン上で乾燥運転表示が行なわれることとなり、快適性とワイヤレスリモコンの操作性を損ねることなく、更にユーザーに誤解を与えることの無い乾燥運転を実現する空気調和機が得られる。
【発明の効果】
【０００７】
以上のように、本発明の空気調和機によれば、冷房運転もしくは除湿運転後に行う乾燥運転を最少限の回数に抑えることができ、快適性とワイヤレスリモコンの操作性を損ねることが無く、更にユーザーに誤解を与えずに乾燥運転が行えるという効果を奏する。
【０００８】
また、本発明によれば、ワイヤレスリモコンの消費電流を抑えることができ、ワイヤレスリモコン電池寿命を向上することができる。
【０００９】
さらに本発明は、室内ユニットの設置環境によって異なる乾燥運転時間に対応したワイヤレスリモコンの乾燥運転表示が可能となり、ワイヤレスリモコンの使い勝手を向上することができる。
【発明を実施するための最良の形態】
【００１０】
以下に、本発明の実施の形態について図面を参照しながら説明する。
【００１１】
（実施の形態１）
図１は本発明の実施の形態１における空気調和機の室内ユニットとワイヤレスリモコンのシステム構成図である。同図に於いて、室内ユニット１には送信部の送信用赤外素子２とワイヤレスリモコン４の送信用赤外素子５から送信された赤外信号を受信してディジタル信号に変換する受信部３を備え、ワイヤレスリモコン４には送信部の送信用赤外素子５と室内ユニット１の送信用赤外素子２から送信された赤外信号を受信してディジタル信号に変換する受信部６と運転モードを表示する表示部７、空気調和機１の運転・停止行なう運転ボタン８、冷房、除湿、暖房あるいは自動運転等を選択する運転切換ボタン９を備えている。
【００１２】
図２は本発明の実施の形態１における空気調和機の室内ユニット１の乾燥運転処理時のフローチャートである。また図３は本発明の実施の形態１における空気調和機のワイヤレスリモコン４の乾燥運転処理時のフローチャートである。
【００１３】
上記空気調和機室内ユニットの作用を図２を参照しながら説明する。まず図２において、冷房運転もしくは除湿運転を行っている間は、ステップＳ１において冷房運転／除湿運転時間を計測する。またステップＳ２において乾燥運転が行われていない時間を計測する。図示していないが、運転停止中も乾燥運転が行われていない時間の計測が行われる。ステップＳ３においてワイヤレスリモコン４からの運転停止指示の送信コードの受信判断が行われ、受信しなければ冷房運転もしくは除湿運転を継続する。運転停止コードを受信すれば、ステップＳ４に移行し冷房運転もしくは除湿運転が終了したか否かを判断し、暖房運転などからの終了の場合は、ステップＳ６の運転停止処理へと移行する。冷房運転もしくは除湿運転から停止に移行する場合、ステップＳ５において、冷房運転もしくは除湿運転時間が所定の時間以上か、前回の乾燥運転時間からの経過時間（非乾燥運転時間）が所定の時間以上か、ユーザーが乾燥運転を選択していたか等のすべての乾燥運転開始条件が整っているかを判断する。条件が整っていなければステップ６の運転停止処理に進み、条件が整っていれば乾燥運転を実施する事になる。乾燥運転を実施する場合、ステップＳ７で乾燥運転コードを室内ユニット赤外信号送信用赤外素子２より送信する。ステップＳ８において、送風・暖房・換気等の乾燥運転処理が行われる。この時、ステップＳ９において乾燥運転時間を計測し、ステップＳ１０において所定の乾燥運転時間が経過したか判定を行い、経過していなければ乾燥運転を継続し、経過していればステップＳ６の停止処理へ移行する。
【００１４】
次にワイヤレスリモコンの作用を図３を参照しながら説明する。ステップＲ１において運転ボタン８が操作されたか否かを判断し、操作されなければボタンの入力待ちを繰り返
すが、操作されたと判断した場合ステップＲ２に移行する。ステップＲ２において、運転開始か停止かを判定し、運転開始であればステップＲ３の通常運転表示へと進む。運転停止の場合、ステップＲ４において、ワイヤレスリモコン赤外受信部６への信号を入力し、受信処理が行われる。次にステップＲ５において、受信した信号が室内ユニット１からの乾燥運転信号であるか否かを判断し、乾燥運転信号では無い場合には、ステップＲ６の停止表示処理に進む。乾燥運転信号がある場合、ステップＲ７に進み、表示部７に乾燥運転表示を行う。
【００１５】
上記構成により、冷房運転もしくは除湿運転時間に応じて室内ユニットの湿度が高くなった場合のみに乾燥運転動作が行われ、乾燥運転時はユーザーの手元にあるワイヤレスリモコン上に乾燥運転が表示されることになり、必要最少限の回数かつユーザーが不具合と感じることのない快適かつ操作性の良い空気調和機の乾燥運転が実現できる。
【００１６】
（実施の形態２）
図４は本発明の実施の形態２における空気調和機のワイヤレスリモコン４の乾燥運転処理時のフローチャートである。
【００１７】
図４において第1の実施例と同じ処理については同一ステップ番号を付与することとして説明を割愛する。ステップＲ５で乾燥運転開始と判断するとステップＲ７の乾燥運転表示処理に進む。ステップＲ８において、乾燥運転時間を計測する。ステップＲ９において、あらかじめ決められた乾燥運転時間が経過しているか否かを判定する。その結果、乾燥運転時間が経過していなければステップＲ７にもどり、乾燥運転表示を継続する。もし乾燥時間が経過していれば、乾燥運転時間終了としてステップＲ６の停止表示処理へ移行する。
【００１８】
かかる構成によれば、乾燥運転開始信号を受信すれば、室内ユニットの乾燥運転時間と同期して乾燥運転表示をＯＮ／ＯＦＦすることができ、ワイヤレスリモコンの受信待機時間を短くすることができ、ワイヤレスリモコンの消費電流を抑えることが可能となり、電池寿命の長いワイヤレスリモコンが実現できる。
【００１９】
（実施の形態３）
図５は本発明の実施の形態３における空気調和機の室内ユニット１の乾燥運転処理時のフローチャートである。また図６は本発明の実施の形態３における空気調和機のワイヤレスリモコン４の乾燥運転処理時のフローチャートである。図５および図６において実施の形態１と同じ処理については同一ステップ番号を付与することとして説明を割愛する。
【００２０】
まず図５のステップＳ１０において、あらかじめ設定していた乾燥運転時間が経過したか否か、もしくはその他の要因たとえば湿度が低下したのを検知して乾燥運転の終了が判定される。乾燥運転終了と判断された場合、ステップＳ１１に進み、乾燥運転終了コードを室内ユニット赤外信号送信用赤外素子２から送信する。その後、ステップＳ６の運転停止処理に進む。
【００２１】
次にワイヤレスリモコン４の作用を図６を参照して説明する。ステップＲ５で乾燥運転と判断して、ステップＲ７に進み、ワイヤレスリモコン表示部７に乾燥運転表示を行う。ステップＲ１０において、ワイヤレスリモコン赤外受信部６への信号を入力し、受信処理が行われる。次にステップＲ１１において受信した信号が、室内ユニット１からの乾燥運転終了信号であるか否かを判断し、乾燥運転終了信号では無い場合には、乾燥運転表示を継続する。乾燥運転終了信号の場合には、ステップＲ６の停止表示処理に進む。
【００２２】
かかる構成によれば、あらかじめ決められた乾燥運転時間よりも短いあるいは長い乾燥
運転となっても、室内ユニットの乾燥運転に同期してワイヤレスリモコンの乾燥運転表示を行うことが可能となり、室内ユニットとワイヤレスリモコン表示に差異が生じることが無くなり、使い勝手の良いワイヤレスリモコンが実現できる。
【００２３】
なお、室内ユニットとワイヤレスリモコンを赤外光を用いた通信としたが、電波を用いた通信としても同様の効果を得ることができる。
【産業上の利用可能性】
【００２４】
以上のように、本発明にかかる空気調和機は、快適性と操作性を損ねることなく必要最小限の回数の乾燥運転を行うことができるので、乾燥運転を行う空気調和機として有用である。
【図面の簡単な説明】
【００２５】
【図１】本発明の実施の形態１における空気調和機の室内ユニットとワイヤレスリモコンのシステム構成図
【図２】本発明の実施の形態１における空気調和機の室内ユニット乾燥運転処理時のフローチャート
【図３】本発明の実施の形態１における空気調和機のワイヤレスリモコン乾燥運転処理時のフローチャート
【図４】本発明の実施の形態１における空気調和機のワイヤレスリモコン乾燥運転処理時のフローチャート
【図５】本発明の実施の形態１における空気調和機の室内ユニット乾燥運転処理時のフローチャート
【図６】本発明の実施の形態１における空気調和機のワイヤレスリモコン乾燥運転処理時のフローチャート
【符号の説明】
【００２６】
１  室内ユニット
２  室内ユニット送信用赤外素子（送信部）
３  室内ユニット受信部
４  ワイヤレスリモコン
５  ワイヤレスリモコン赤外信号送信用赤外素子（送信部）
６  ワイヤレスリモコン受信部
７  表示部
８  運転ボタン
９  運転切換ボタン
【図１】
2005106441.tif 000003
【図２】
2005106441.tif 000004
【図３】
2005106441.tif 000005
【図４】
2005106441.tif 000006
【図５】
2005106441.tif 000007
【図６】
2005106441.tif 000008